(57)【要約】【課題】  予備加熱を停止してこれをフラッシュ加熱により補うようにした場合に、フィラメントの余熱の影響を排除して、適切な管電流でＸ線撮影を実行することが可能な移動型Ｘ線撮影装置およびＸ線撮影方法を提供する。【解決手段】  フィラメント電流供給回路５２は、制御部６により制御され、Ｘ線管３によるＸ線の照射時以外にはフィラメント電流の供給を停止しておき、Ｘ線を照射する直前にＸ線照射時より大きいフィラメント電流を供給してフラッシュ加熱を行った後、Ｘ線照射時にフィラメントの本加熱を行うとともに、前回のＸ線照射によるフィラメントの余熱に基づいて、フラッシュ加熱時のフィラメント電流の電流値、あるいは、フラッシュ加熱時のフィラメント電流の供給時間を補正する。【選択図】        図２
2012079540.tif 000002
【特許請求の範囲】
【請求項１】
Ｘ線管と、前記Ｘ線管から照射され被検体を通過したＸ線を検出するＸ線検出部と、前記Ｘ線管に対する電源としての蓄電池と、前記Ｘ線管のフィラメントに供給するフィラメント電流を制御するフィラメント電流制御部とを備えた移動型Ｘ線撮影装置において、
前記フィラメント電流制御部は、
前記Ｘ線管によるＸ線の照射時以外にはフィラメント電流の供給を停止しておき、Ｘ線を照射する直前にＸ線照射時より大きいフィラメント電流を供給して前記フィラメントのフラッシュ加熱を行った後、Ｘ線照射時に前記フィラメントの本加熱を行うとともに、
前回のＸ線照射による前記フィラメントの余熱に基づいて、前記フラッシュ加熱時のフィラメント電流の電流値、あるいは、前記フラッシュ加熱時のフィラメント電流の供給時間を補正することを特徴とする移動型Ｘ線撮影装置。
【請求項２】
請求項１に記載の移動型Ｘ線撮影装置において、
前記フィラメント電流制御部は、前回のＸ線照射からの経過時間と前回のＸ線照射時のフィラメント電流値の少なくとも一方に基づいて、前記フラッシュ加熱時のフィラメント電流値、あるいは、前記フラッシュ加熱時のフィラメント電流の供給時間を補正する移動型Ｘ線撮影装置。
【請求項３】
請求項２に記載の移動型Ｘ線撮影装置において、
本加熱時のフィラメント電流値をＩ、フィラメント加熱後の経過時間および前回のＸ線照射時のフィラメント電流値によって定まるフラッシュ加熱係数をｆとしたとき、フラッシュ加熱時のフィラメント電流値Ｉｆを下記の式で演算する移動型Ｘ線撮影装置。
Ｉｆ＝Ｉ×ｆ
【請求項４】
請求項３に記載の移動型Ｘ線撮影装置において、
前記Ｘ線検出部は、フラットパネルディテクタである移動型Ｘ線撮影装置。
【請求項５】
Ｘ線管と、前記Ｘ線管から照射され被検体を通過したＸ線を検出するＸ線検出部と、前記Ｘ線管に対する電源としての蓄電池と、前記Ｘ線管のフィラメントに供給するフィラメント電流を制御するフィラメント電流制御部とを備えた移動型Ｘ線撮影装置におけるＸ線撮影方法において、
Ｘ線の撮影時に、前回の撮影が終了してからの経過時間を取得する経過時間取得工程と、
前記経過時間取得工程において取得した経過時間と前回のＸ線照射時のフィラメント電流値とに基づいて、Ｘ線を照射する直前に前記フィラメントにＸ線照射時より大きいフィラメント電流を供給するフラッシュ加熱時のフィラメント電流値を演算する演算工程と、
フィラメント電流値を、ゼロから前記演算工程で演算したフィラメント電流値まで上昇させることにより、フラッシュ加熱を行うフラッシュ加熱工程と、
フィラメント電流値を、Ｘ線照射時の本加熱時の電流値に変更してＸ線撮影を行うＸ線撮影工程と、
を備えたことを特徴とするＸ線撮影方法。
【発明の詳細な説明】
【技術分野】
【０００１】
この発明は、Ｘ線管と、Ｘ線管から照射され被検体を通過したＸ線を検出するＸ線検出部と、Ｘ線管に対する電源としての蓄電池とを備えた移動型Ｘ線撮影装置、および、この移動型Ｘ線撮影装置におけるＸ線撮影方法に関する。
【背景技術】
【０００２】
Ｘ線管は、フィラメントを有する陰極と、陽極とを備える。Ｘ線管においては、フィラメント電流を付与され加熱された陰極のフィラメントから、熱電子が発生する。この熱電子は、陽極に衝突してＸ線を発生する。このとき、陰極においては、フィラメントに電流を流してフィラメントを高い温度に加熱することで、フィラメントの自由電子を空間中に飛び出させるようにしている。そして、フィラメントで発生する電子が多いほど、陰極に流れる管電流が多量となる。従って、Ｘ線管の管電流は、フィラメント加熱時にフィラメントに供給されるフィラメント電流により制御されることになる。
【０００３】
ところで、従来のＸ線撮影装置においては、フィラメント加熱は、本加熱、フラッシュ加熱、予備加熱と呼称される三種類の態様において実行されている。ここで、本加熱は、Ｘ線管からＸ線を照射するときにフィラメントに設定値のフィラメント電流を供給するものである。また、フラッシュ加熱は、Ｘ線照射を実行する直前において、フィラメントを急速に低温からＸ線照射に適した高温まで昇温させるために、フィラメントに対して本加熱時よりも電流値が高いフィラメント電流を供給するものである。さらに、予備加熱は、Ｘ線照射を行わない待機時において、Ｘ線管を待機状態とするため、フィラメントに対して本加熱時やフラッシュ加熱時よりも大幅に小さいフィラメント電流を供給するものである。
【０００４】
一般的なＸ線撮影装置においては、装置の待機状態において常に予備加熱を行って、フィラメントがある程度加熱された待機状態としている。そして、Ｘ線撮影を実行するときには、フラッシュ加熱を、例えば、１秒以下の短時間で完了するようにしている。
【０００５】
しかしながら、短時間の間に連続してＸ線撮影を行った場合には、前回のＸ線撮影時のフィラメントの加熱による余熱が残存した状態で次のＸ線撮影が行われることから、Ｘ線管によるＸ線照射時にフィラメントが余分に加熱されることになり、管電流値が設定値より大きくなってしまうという問題が生ずる。
【０００６】
このため、従来、このような余熱を考慮してフィラメント電流値を調整するようにしたＸ線管のフィラメント加熱方法が提案されている(特許文献１および特許文献２参照)。すなわち、特許文献１に記載のフィラメント加熱電流の制御方法においては、フィラメントの温度が予備加熱温度まで下がる途中でＸ線照射を実行する場合においても、適正な管電流値でＸ線照射を実行することができるようにフィラメント電流値を演算している。また、特許文献２に記載のフィラメント加熱装置においては、フィラメントの温度を検出する検出手段を設け、フィラメントの設定温度と検出手段で検出したフィラメントの温度とが一致するようにフィラメント電流値を制御している。
【先行技術文献】
【特許文献】
【０００７】
【特許文献１】特開平１０−７４５９６号公報
【特許文献２】特開２００６−１２０５４４号公報
【発明の概要】
【発明が解決しようとする課題】
【０００８】
病院内の一般病室や集中治療室に移動させて、その場所でＸ線撮影を行う回診用Ｘ線撮影装置とも呼称される移動型Ｘ線撮影装置は、本体内にＸ線管に対する電源としての蓄電池を備えている。このため、このような移動型Ｘ線撮影装置においては、消費電力を低減させることが好ましい。
【０００９】
このため、このような移動型Ｘ線撮影装置においては、特許文献１に記載されたような予備加熱を停止するとともに、フラッシュ加熱を、一般的なＸ線撮影装置と比較して、高い電流値で、かつ、長い時間実行することで、フィラメントの急速な加熱を可能とすることが好ましい。
【００１０】
ところで、Ｘ線アナログ撮影時には、フィルムの現像やＣＲカセッテからの撮影画像の読み取り等に時間がかかることから、現在のＸ線撮影と次のＸ線撮影との間には、十分な時間間隔がある。しかしながら、近年のフラットパネルディテクタを使用したＸ線デジタル撮影では、撮影画像をすぐに取り込むことが可能であることから、Ｘ線撮影を短い時間間隔で連続して実行することが多い。このため、前回のＸ線撮影で加熱されたフィラメントにおいて余熱が残ったままの状態で、次のＸ線撮影が実行される場合がある。
【００１１】
このとき、上述したように、移動型Ｘ線撮影装置において、消費電力を低減させるために予備加熱を停止した場合には、フィラメントが完全に冷却された状態を想定してフラッシュ加熱を行うことから、このフラッシュ加熱を、一般的なＸ線撮影装置と比較して、高い電流値で、かつ、長い時間実行する必要がある。このため、このような移動型Ｘ線撮影装置においては、予備加熱を行う場合と比較して、余熱の影響を大きく受けるという問題がある。
【００１２】
フィラメントに余熱が残った状態でＸ線照射を連続して実行すると、Ｘ線照射時にフィラメントが過度に加熱されて管電流値が設定値より大きくなるばかりではなく、フィラメントの加熱によりフィラメントの寿命を縮めてしまうという問題も生ずる。
【００１３】
一方、特許文献２に記載されたように温度センサによりフィラメントの実際の温度を検出する構成を採用したとしても、フィラメント温度の変動は急激であることから、必ずしも適正にフィラメント電流値を制御できるわけではない。
【００１４】
この発明は上記課題を解決するためになされたものであり、予備加熱を停止してこれをフラッシュ加熱により補うようにした場合に、フラットパネルディテクタを使用したＸ線デジタル撮影のように短時間に連続してＸ線撮影を行うときにも、Ｘ線管におけるフィラメントの余熱の影響を排除して、適切な管電流でＸ線撮影を実行することが可能な移動型Ｘ線撮影装置およびＸ線撮影方法を提供することを目的とする。
【課題を解決するための手段】
【００１５】
請求項１に記載の発明は、Ｘ線管と、前記Ｘ線管から照射され被検体を通過したＸ線を検出するＸ線検出部と、前記Ｘ線管に対する電源としての蓄電池と、前記Ｘ線管のフィラメントに供給するフィラメント電流を制御するフィラメント電流制御部とを備えた移動型Ｘ線撮影装置において、前記フィラメント電流制御部は、前記Ｘ線管によるＸ線の照射時以外にはフィラメント電流の供給を停止しておき、Ｘ線を照射する直前にＸ線照射時より大きいフィラメント電流を供給して前記フィラメントのフラッシュ加熱を行った後、Ｘ線照射時に前記フィラメントの本加熱を行うとともに、前回のＸ線照射による前記フィラメントの余熱に基づいて、前記フラッシュ加熱時のフィラメント電流の電流値、あるいは、前記フラッシュ加熱時のフィラメント電流の供給時間を補正することを特徴とする。
【００１６】
請求項２に記載の発明は、請求項１に記載の発明において、前記フィラメント電流制御部は、前回のＸ線照射からの経過時間と前回のＸ線照射時のフィラメント電流値の少なくとも一方に基づいて、前記フラッシュ加熱時のフィラメント電流値、あるいは、前記フラッシュ加熱時のフィラメント電流の供給時間を補正する。
【００１７】
請求項３に記載の発明は、請求項２に記載の発明において、本加熱時のフィラメント電流値をＩ、フィラメント加熱後の経過時間および前回のＸ線照射時のフィラメント電流値によって定まるフラッシュ加熱係数をｆとしたとき、フラッシュ加熱時のフィラメント電流値Ｉｆを下記の式で演算する。
【００１８】
Ｉｆ＝Ｉ×ｆ
【００１９】
請求項４に記載の発明は、請求項３に記載の発明において、前記Ｘ線検出部は、フラットパネルディテクタである。
【００２０】
請求項５に記載の発明は、Ｘ線管と、前記Ｘ線管から照射され被検体を通過したＸ線を検出するＸ線検出部と、前記Ｘ線管に対する電源としての蓄電池と、前記Ｘ線管のフィラメントに供給するフィラメント電流を制御するフィラメント電流制御部とを備えた移動型Ｘ線撮影装置におけるＸ線撮影方法において、Ｘ線の撮影時に、前回の撮影が終了してからの経過時間を取得する経過時間取得工程と、前記経過時間取得工程において取得した経過時間と前回のＸ線照射時のフィラメント電流値とに基づいて、Ｘ線を照射する直前に前記フィラメントにＸ線照射時より大きいフィラメント電流を供給するフラッシュ加熱時のフィラメント電流値を演算する演算工程と、フィラメント電流値を、ゼロから前記演算工程で演算したフィラメント電流値まで上昇させることにより、フラッシュ加熱を行うフラッシュ加熱工程と、フィラメント電流値を、Ｘ線照射時の本加熱時の電流値に変更してＸ線撮影を行うＸ線撮影工程とを備えたことを特徴とする。
【発明の効果】
【００２１】
請求項１、請求項２および請求項５に記載の発明によれば、短時間に連続してＸ線撮影を行うときにも、Ｘ線管におけるフィラメントの余熱の影響を排除して、適切な管電流でＸ線撮影を実行することが可能となる。
【００２２】
請求項３に記載の発明によれば、本加熱時のフィラメント電流値とフィラメント加熱後の経過時間とに基づいて、フラッシュ加熱時のフィラメント電流値を演算することが可能となる。このため、Ｘ線管におけるフィラメントの余熱の影響を適切に防止することが可能となる。
【００２３】
請求項４に記載の発明によれば、フラットパネルディテクタを使用して短時間に連続してＸ線撮影を実行する場合においても、Ｘ線管におけるフィラメントの余熱の影響を排除して、適切な管電流でＸ線撮影を実行することが可能となる。
【図面の簡単な説明】
【００２４】
【図１】この発明に係る移動型Ｘ線撮影装置の概要図である。
【図２】移動型Ｘ線撮影装置において、Ｘ線管３を制御するための主要な電気的構成を示すブロック図である。
【図３】この発明の第１実施形態に係るＸ線撮影装置のフィラメント電流の供給動作とフィラメント温度との関係を示す説明図である。
【図４】比較例としての、この発明以外の実施形態に係るＸ線撮影装置のフィラメント電流の供給動作とフィラメント温度との関係を示す説明図である。
【図５】比較例としての、この発明以外の実施形態に係るＸ線撮影装置のフィラメント電流の供給動作とフィラメント温度との関係を示す説明図である。
【図６】Ｘ線照射後の経過時間Ｔとフラッシュ加熱係数ｆとの関係を示すグラフである。
【図７】この発明に係る移動型Ｘ線撮影装置におけるＸ線撮影動作を示すフローチャートである。
【図８】この発明の第２実施形態に係るＸ線撮影装置のフィラメント電流の供給動作とフィラメント温度との関係を示す説明図である。
【発明を実施するための形態】
【００２５】
以下、この発明の実施の形態を図面に基づいて説明する。図１は、この発明に係る移動型Ｘ線撮影装置の概要図である。
【００２６】
この移動型Ｘ線撮影装置は、移動用台車６１と、この移動用台車６１に付設された旋回自在の前輪６２およびモータ駆動の後輪６３を備える。この移動用台車６１には、支柱６４が立設されており、この支柱６４には、昇降可能なアーム６５が付設されている。そして、このアーム６５の先端部には、Ｘ線管３と、このＸ線管３から出射されるＸ線の照射領域を制限するためのコリメータ３４とが配設されている。
【００２７】
また、この移動型Ｘ線撮影装置は、フラットパネルディテクタ４を備える。このフラットパネルディテクタ４は、テーブル２上に載置されており、このフラットパネルディテクタ４上に被検者１を配置した状態で、Ｘ線撮影が行われる。このフラットパネルディテクタ４と移動用台車６１とは、ケーブル６６で接続されている。また移動用台車６１の内部には、Ｘ線管３に対する電源としての蓄電池５４が配設されている。
【００２８】
図２は、上述した移動型Ｘ線撮影装置において、Ｘ線管３を制御するための主要な電気的構成を示すブロック図である。
【００２９】
この移動型Ｘ線撮影装置は、上述したＸ線管３に接続されたＸ線管駆動部５と、制御部６と、記憶部７とを備える。
【００３０】
このＸ線管駆動部５は、上述した蓄電池５４と図示を省略した変圧器を介して接続された、高電圧供給回路５１およびフィラメント電流供給回路５２を備える。高電圧供給回路５１は、制御部６からの制御信号を受け、Ｘ線管３に付与する管電圧を制御する。また、フィラメント電流供給回路５２は、制御部６からの制御信号を受け、Ｘ線管３のフィラメント３１に付与するフィラメント電流を制御する。Ｘ線管３においては、フィラメント電流を付与され加熱された陰極のフィラメント３１からは、熱電子Ａが発生する。この熱電子Ａは、陽極３２に衝突してＸ線Ｂを照射させる。このときの、Ｘ線管３がＸ線を照射するときの管電流値は、管電流検出部５３により検出される。なお、上述した制御部６およびフィラメント電流供給回路５２は、この発明に係るフィラメント電流制御部を構成する。
【００３１】
次に、この発明に係るフィラメント電流の制御方法の基本的な概念について説明する。図３は、この発明の第１実施形態に係るＸ線撮影装置のフィラメント電流の供給動作とフィラメント温度との関係を示す説明図である。また、図４および図５は、比較例としての、この発明以外の実施形態に係るＸ線撮影装置のフィラメント電流の供給動作とフィラメント温度との関係を示す説明図である。
【００３２】
なお、これらの図における上側のグラフはフィラメント３１に付与されるフィラメント電流の変化を示し、これらの図における下側のグラフは、そのときのフィラメント３１の温度（室温との差異）を示している。また、これらの図においては、符号Ｆはフラッシュ加熱を、符号Ｍは本加熱を、符号Ｐは予備加熱を示している。さらに、これらの図においては、左側は最初のＸ線照射時の状態を、また、右側は引き続き実行される二回目のＸ線照射時の状態を示している。
【００３３】
図４は、従来の一般的なＸ線撮影装置によりＸ線撮影を行うときのフィラメント電流の供給動作を示している。この図に示す実施形態においては、Ｘ線撮影を実行していないときに、フィラメント３１に対して常に小さなフィラメント電流を供給して予備加熱Ｐを行っている。このため、フィラメント３１の温度は、常に、室温よりも高い温度に維持されている。そして、Ｘ線撮影を行うときには、フラッシュ加熱Ｆを実行した後に、本加熱Ｍを実行する。
【００３４】
このときには、図４における右側に示すように、連続してＸ線撮影を実行した場合には、先のＸ線照射時の余熱Ｒ１によりフィラメント３１の温度が予備加熱Ｐ時の温度より上昇していることから、本加熱Ｍを実行するときの余熱Ｒ２によってフィラメント温度が最初のＸ線照射時とは異なることになる。このため、この余熱Ｒ２の影響により、Ｘ線照射時にフィラメントが余分に加熱されることになり、管電流値が設定値より大きくなってしまう。
【００３５】
図５は、移動型Ｘ線撮影装置によりＸ線撮影を行うときに、予備加熱を停止した場合のフィラメント電流の供給動作を示している。この図に示す実施形態においては、Ｘ線撮影を実行していないときには、図４に示すようなフィラメント電流の供給による予備加熱Ｐを停止している。このため、Ｘ線を照射する前の段階では、フィラメント３１の温度が室温となっている。この実施形態の場合には、Ｘ線撮影を行うときには、フラッシュ加熱Ｆを、図４に示す実施形態の場合と比較して、高い電流値で、かつ、長い時間実行した後に、本加熱Ｍを実行する。
【００３６】
このときにも、図５における右側に示すように、連続してＸ線撮影を実行した場合には、先のＸ線照射時の余熱Ｒ１によりフィラメント３１の温度が予備加熱Ｐ時の温度より上昇していることから、本加熱Ｍを実行するときの余熱Ｒ２によってフィラメント温度が最初のＸ線照射時とは異なることになる。このため、この余熱Ｒ２の影響により、Ｘ線照射時にフィラメントが余分に加熱されることになり、管電流値が設定値より大きくなってしまう。そして、この実施形態においては、フラッシュ加熱Ｆが図４に示す実施形態よりも高い電流値で、かつ、長い時間行われることから、この場合の余熱Ｒ２の影響は、図４に示す実施形態よりもさらに大きなものとなる。
【００３７】
このとき、この実施形態のように、フラットパネルディテクタ４を使用したＸ線デジタル撮影の場合においては、撮影画像をすぐに取り込むことが可能であることから、Ｘ線撮影を短い時間間隔で連続して実行することができ、前回のＸ線撮影で加熱されたフィラメント３１に余熱が残ったままの状態で次のＸ線撮影が実行されることになるため、余熱の影響がより深刻となる。
【００３８】
これに対して、図３は、この発明に係るフィラメント電流の供給動作を示している。この図に示す実施形態において、Ｘ線撮影を実行していないときに、図４に示すようなフィラメント電流の供給による予備加熱Ｐを停止しているのは、図５に示す実施形態と同様である。このため、Ｘ線を照射する前の段階では、フィラメント３１の温度が室温となっている。そして、この実施形態の場合にも、Ｘ線撮影を行うときには、フラッシュ加熱Ｆを、高い電流値で、かつ、長い時間実行した後に、本加熱Ｍを実行する。
【００３９】
このとき、この発明においては、図３における右側に示すように、連続してＸ線撮影を実行する場合には、前回のＸ線照射からの経過時間と前回のＸ線照射時のフィラメント電流値とに基づいて、次のフラッシュ加熱時のフィラメント電流値を低減するようにしている。より具体的には、前回のＸ線照射からの経過時間と前回のＸ線照射時のフィラメント電流値とに基づいて、フラッシュ加熱係数ｆを決定し、これを本加熱Ｍ時のフィラメント電流値に乗算することにより、フラッシュ加熱Ｆ時のフィラメント電流値を決定している。このような構成を採用することにより、図３に示すように、余熱Ｒ１の影響を排除して、適切な管電流でＸ線撮影を実行することが可能となる。
【００４０】
すなわち、本加熱Ｍ時のフィラメント電流値をＩ、フィラメント加熱Ｆ後の経過時間および前回のＸ線照射時のフィラメント電流値によって定まるフラッシュ加熱係数をｆとしたとき、フラッシュ加熱Ｆ時のフィラメント電流値Ｉｆを下記の式で演算している。
【００４１】
Ｉｆ＝Ｉ×ｆ
【００４２】
Ｘ線照射後の時間の経過に応じてフィラメントの余熱の影響は低減され、Ｘ線照射後一定時間以上経過したときには、余熱の影響はなくなる。また、直前のＸ線撮影時のフィラメント電流値が大きいほど、言い換えれば、直前のＸ線撮影時の管電流値が大きいほど、余熱の影響は大きくなる。このため、上述したフラッシュ加熱係数ｆは、このような点を考慮した上で、実験的に求められる。
【００４３】
図６は、Ｘ線照射後の経過時間Ｔとフラッシュ加熱係数ｆとの関係を示すグラフである。なお、この図における横軸はＸ線照射後の経過時間（秒）を示し、縦軸はフラッシュ加熱係数ｆを示している。また、この図において、黒丸は管電圧が８０ｋＶで管電流が５０ｍＡの状態を、また、白三角は管電圧が８０ｋＶで管電流が１６０ｍＡの状態を示している。
【００４４】
この図に示すように、Ｘ線照射後７５秒を経過すれば、管電流値にかかわらず、余熱の影響は無視できる値となる。このため、Ｘ線照射後７５秒を経過した後は、フラッシュ加熱係数ｆは一定値（１．３）となる。Ｘ線照射後４５秒乃至７５秒の領域においては、管電流値に関わらず、Ｘ線照射後の経過時間とフラッシュ加熱係数ｆとは比例する。すなわち、Ｘ線照射後の経過時間が短いほど、フラッシュ加熱係数ｆが小さくなり、フラッシュ加熱時のフィラメント電流値を小さくする必要が生ずる。また、Ｘ線照射後４５秒以下の領域においては、これらの関係に加え、さらに、管電流値が小さいほど、フラッシュ加熱係数ｆも小さくなる。
【００４５】
これらのフラッシュ加熱係数ｆの値は、予め実験的に求められ、管電流と時間との関係を示すテーブルとして、図２に示す記憶部７に予め記憶されている。
【００４６】
なお、上述した説明においては、管電流値に応じてフラッシュ加熱係数ｆを決定しているが、管電流値とフィラメント電流値とは対応することから、Ｘ線照射後の経過時間とそのときの管電流値とでフラッシュ加熱係数ｆを決定することは、Ｘ線照射後の経過時間とそのときのフィラメント電流値とでフラッシュ加熱係数ｆを決定することと等価となる。
【００４７】
次に、上述した構成を有する移動型Ｘ線撮影装置におけるＸ線撮影動作について説明する。図７は、この発明に係る移動型Ｘ線撮影装置におけるＸ線撮影動作を示すフローチャートである。
【００４８】
この発明に係る移動型Ｘ線撮影装置においては、Ｘ線撮影が開始されれば（ステップＳ１）、前回の撮影が終了してからの経過時間を取得する（ステップＳ２）。そして、この経過時間取得工程において取得した経過時間と、撮影時に設定された管電流値、すなわち、Ｘ線照射時のフィラメント電流値に基づいて、記憶部７に記憶したテーブルを読み込み、フラッシュ加熱係数ｆを利用してフラッシュ加熱Ｆ時のフィラメント電流値Ｉｆを演算する（ステップＳ３）。
【００４９】
しかる後、フィラメント電流値を、ゼロから演算工程で演算したフィラメント電流値Ｉｆまで上昇させることにより、フラッシュ加熱Ｆを行う（ステップＳ４）。そして、フィラメント３１の温度がＸ線照射に適切な温度まで上昇すれば、本加熱Ｍを行って（ステップＳ５）、Ｘ線を照射することにより（ステップＳ６）、Ｘ線撮影を実行する。これにより、上述した余熱Ｒ１の影響を排除して、適切な管電流でＸ線撮影を実行することが可能となる。
【００５０】
なお、上述した実施形態においては、フラッシュ加熱係数ｆに基づいてフラッシュ加熱Ｆ時のフィラメント電流の電流値を補正しているが、フラッシュ加熱Ｆ時のフィラメント電流の電流値の代わりにフィラメント電流の供給時間を補正するようにしてもよい。
【００５１】
図８は、このような第２実施形態に係るＸ線撮影装置のフィラメント電流の供給動作とフィラメント温度との関係を示す説明図である。
【００５２】
この実施形態においては、前回のＸ線照射からの経過時間と前回のＸ線照射時のフィラメント電流値とに基づいて、次のフラッシュ加熱時のフィラメント電流の供給時間を短くするようにしている。このような構成を採用することにより、図３に示す実施形態の場合と同様、上述した余熱Ｒ１の影響を排除して、適切な管電流でＸ線撮影を実行することが可能となる。
【００５３】
なお、前回のＸ線照射からの経過時間と前回のＸ線照射時のフィラメント電流値とに基づいて、フィラメント電流の電流値と、フィラメント電流の供給時間の両方を補正するようにしてもよい。
【符号の説明】
【００５４】
１      被検者
２      テーブル
３      Ｘ線管
４      フラットパネルディテクタ
５      Ｘ線管駆動部
６      制御部
７      記憶部
３１    フィラメント
３２    陽極
５１    高電圧供給回路
５２    フィラメント電流供給回路
５３    管電流検出部
５４    蓄電池
６１    移動用台車
【図１】
2012079540.tif 000003
【図２】
2012079540.tif 000004
【図３】
2012079540.tif 000005
【図４】
2012079540.tif 000006
【図５】
2012079540.tif 000007
【図６】
2012079540.tif 000008
【図７】
2012079540.tif 000009
【図８】
2012079540.tif 000010